(57)【要約】      （修正有）【課題】一つの腕時計の組み立てに必要な部品や工具を容易に分かるようにし、腕時計の組み立てを十分に楽しめるようにすることを可能とする腕時計の組立セットを提供する。【解決手段】腕時計の組立セット１は、ケース２に複数の引き出し３Ａ、３Ｂ、３Ｃを備える。腕時計の部品だけを収容する部品専用の引き出し３Ｂには、少なくとも一つの腕時計の組み立てに必要なすべての部品５ａ〜５ｌが収容される。腕時計の組み立て用の工具だけを収容する工具専用のには、前記部品により一つの腕時計を組み立てるときに使用するすべての工具が収容される。つまり、腕時計の組立セットは、腕時計の部品と腕時計の組み立て用の工具のすべてが揃い、容易に分かるように別々の引き出しに収容されている。【選択図】図２
0003232104.tif 000002
【実用新案登録請求の範囲】
【請求項１】
ケースに複数の引き出しを備え、
一つの引き出しは、腕時計の部品だけを収容する部品専用の引き出しとし、この部品専用の引き出しには、少なくとも一つの腕時計の組み立てに必要なすべての部品が収容され、
他の一つの引き出しは、腕時計の組み立て用の工具だけを収容する工具専用の引き出しとし、この工具専用の引き出しには、前記部品により一つの腕時計を組み立てるときに使用するすべての工具が収容され、
腕時計の部品と腕時計の組み立て用の工具とが別々の引き出しに収容されている腕時計の組立セット。
【請求項２】
請求項１に記載の腕時計の組立セットにおいて、
前記ケースは、四角形箱型のケース本体と、ケース本体内に配設する複数の前記引き出しとを備え、
前記ケース本体は、４つの側面のうち隣り合った２つの側面を開口した開口部が形成され、
前記各引き出しは、上面を開放部とする四角形状の有底箱型に形成され、その１つのコーナ部が前記ケース本体の開口部における対角の２つのコーナ部のうち一方のコーナ部位置で軸支され、当該軸支部分を支点にして回転式に前記ケース本体内から出し入れ可能に構成され、
前記ケース本体の開口部における対角の２つのコーナ部のうち他方のコーナ部側にて、前記各引き出しと前記ケース本体とを係止して前記各引き出しが前記ケース本体内から不用意に開かないようにする開き防止手段が設けられている腕時計の組立セット。
【請求項３】
請求項１又は２に記載の腕時計の組立セットにおいて、
前記引き出しは、上面を開放部とする有底箱型に形成され、
前記部品専用の引き出しと前記工具専用の引き出しの内部には、底板が設けられ、
前記底板は、当該底板を設けた引き出しに収容する収容物の外形形状に沿って凹ませた収容凹部が形成され、
前記収容凹部には、当該収容凹部に対応した形状の収容物を嵌め込むようにして収容されている腕時計の組立セット。
【考案の詳細な説明】
【技術分野】
【０００１】
本考案は、腕時計の組み立てを楽しむための腕時計の組立セットに関する。
【背景技術】
【０００２】
従来、腕時計のバンドのファッション性に着目して、バンドをワンタッチで付け替えできる腕時計の時計本体とバンドとを並べてケースに収容した時計キットがある（特許文献１）。また、壁掛け時計の組み立て用として、収容基体の一方の側面には大きい時計の文字板を収容し、他方の側面には文字板以外の小さい時計部品とロックナットまわしという一つの工具を収容した組立式時計部品の収容物がある（特許文献２）。
【先行技術文献】
【特許文献】
【０００３】
【特許文献１】実開平７−２８８８９号公報
【特許文献２】実公昭５５−２５７５８号公報
【考案の概要】
【考案が解決しようとする課題】
【０００４】
ところで、腕時計は、時刻を知るための機能製品であるが、身に着ける身飾品としての価値もある。それゆえ、腕時計に興味のある者や製品の組み立てが好きな者にとって、腕時計を部品から組み立てることは、完成させる作業が楽しく、また、完成したときの喜びがあり、しかも、自ら製作した腕時計には愛着が持てるようになる。
【０００５】
しかしながら、従来例（特許文献１）の時計キットは、バンドをワンタッチで付け替えできる腕時計であり、ディスプレイや保管のためのものであり、そもそも腕時計の組み立てを楽しむものでなく、また、組み立て用の工具を収容するという発想もない。また、従来例（特許文献２）の組立式時計部品の収容物は、大きい部品と小さい部品とを収容基体の別の側面に分けて収容するものである。すなわち、収容基体の他方の側面には小さい部品とロックナットまわし（工具）とを一緒に収容しており、部品と工具とを分けて収容するという発想はなく、また、ロックナットまわしという一つの工具しか収容されておらず、腕時計の組み立てを考えた場合に組み立てに使用するすべての工具を揃えるようにするという発想もない。
【０００６】
しかるに、腕時計の部品は小さな部品が存在し、また、組み立てには専用の工具が多数必要となる。それゆえ、組み立てに必要な部品と工具が全部揃っているのかを確認するのは一般人では困難である。また、組み立てにどのような工具が必要となるかを確かめ、必要な工具が不足しているとその工具をすべて自らが用意するのは手間がかかり面倒である。前記各従来例は、いずれも、このような問題を解決できるようなものではなかった。そのため、腕時計の組み立てを行う前に、腕時計の部品や工具のすべてを確認し、それを揃える準備の負担が大きいと、腕時計を組み立てるという楽しみを損なってしまう。
【０００７】
本考案は、以上の事情に鑑みてなされたものであり、一つの腕時計の組み立てに必要な部品や工具を容易に分かるようにし、腕時計の組み立てを十分に楽しめるようにすることを可能とする腕時計の組立セットを提供することを目的とする。
【課題を解決するための手段】
【０００８】
本考案に係る腕時計の組立セットは、
ケースに複数の引き出しを備え、
一つの引き出しは、腕時計の部品だけを収容する部品専用の引き出しとし、この部品専用の引き出しには、少なくとも一つの腕時計の組み立てに必要なすべての部品が収容され、
他の一つの引き出しは、腕時計の組み立て用の工具だけを収容する工具専用の引き出しとし、この工具専用の引き出しには、前記部品により一つの腕時計を組み立てるときに使用するすべての工具が収容され、
腕時計の部品と腕時計の組み立て用の工具とが別々の引き出しに収容されているというものである。
【考案の効果】
【０００９】
以上より、本考案によれば、一つの腕時計の組み立てに必要な部品や工具のすべてが揃っていて、それらがどこにあるのか容易に分かる。従って、腕時計の組み立てを十分に楽しむことができるようになる。
【図面の簡単な説明】
【００１０】
【図１】実施形態の腕時計の組立セットにおいて引き出しを閉じた状態を示す斜視図である。
【図２】実施形態の腕時計の組立セットにおいて部品専用の引き出しを開いた状態を示す斜視図である。
【図３】実施形態の腕時計の組立セットにおいて工具専用の引き出しを開いた状態を示す斜視図である。
【図４】実施形態の腕時計の組立セットにおいて付属物用の引き出しを開いた状態を示す斜視図である。
【図５】中段の部品専用の引き出しが全開状態のとき、下段の工具専用の引き出しを少し開いた状態を示す斜視図である。
【考案を実施するための形態】
【００１１】
以下に、本考案の実施形態について添付図面を参照しながら説明する。
図１〜図４に示すように、実施形態の腕時計の組立セット１は、ケース２に三段の引き出し３を備え、一つの引き出し３（３Ｂ）には、腕時計の部品５だけを収容し、他の一つの引き出し３（３Ａ）には、腕時計の組み立て用の工具６だけを収容し、さらに他の一つの引き出し３（３Ｃ）には、腕時計の組み立て手順を記載した説明書４を収容し、部品５と工具６と説明書４とが別々の引き出し３に収容されているものである。なお、説明書４は、ケース２に収容しない場合もあり、必要に応じて任意にケース２に収容されている。また、引き出し３の数は、少なくとも腕時計の部品５と組み立て用の工具６とを別々に分けて収容できるように二段のみ有するものでもよいし、また、実施形態のように三段有するもの等を含めて三段以上の多段に有するものでもよい。
【００１２】
ケース２は、四角形箱型のケース本体２１を有し、このケース本体２１内に引き出し３が上下三段に配設されたものである。引き出し３は、上面を開放部３１とする四角形状の有底箱型に形成されている。一番下の下段の引き出し３は、腕時計の組み立て用の工具６だけを収容する工具専用の引き出し３Ａである。下から二番目の中段の引き出し３は、腕時計の部品５だけを収容する部品専用の引き出し３Ｂである。一番上の上段の引き出し３は、部品５及び工具６を除く付属物用の引き出し３Ｃであり、本実施形態では、腕時計の組み立て手順を記載した説明書４が収容されている。
【００１３】
図２に示すように、中段の部品専用の引き出し３Ｂには、一つの腕時計を組み立てるのに必要なすべての部品５が収容されている。本実施形態では、ムーブメント５ａ、ボタン電池５ｂ、文字盤５ｃ、ムーブメント固定台５ｄ、長針・短針・秒針等の時計針５ｅ、時計ケース５ｆ、裏蓋５ｇ、リューズ５ｈ、リューズ芯５ｉ、革ベルト５ｊ、メタルベルト５ｋ、ベルトばねピン５ｌが収容されている。なお、文字盤５ｃは、色違いで３つ収容されており、ユーザーの好みの文字盤５ｃを選択して使用できるようにしているが、１つの文字盤５ｃだけを収容することでもよい。ベルトは、色違いの革ベルト５ｊが２つ、メタルベルト５ｋが１つの合計３つのベルトが収容されており、ユーザーの好みにより選択して使用できるようにしているが、ベルトも、革ベルト５ｊとメタルベルト５ｋを１つずつ、あるいは、革ベルト５ｊかメタルベルト５ｋのどちらか１つだけを収容することでもよい。また、部品専用の引き出し３Ｂに収容する腕時計の部品５は、前記各部品５に限るものではなく、一つの腕時計を構成するすべての部品５が揃っていれば、任意に追加又は減少してもよい。すなわち、腕時計の部品５として、腕時計の種類や構造、ユーザーの好み等に応じて、前記部品５以外の他の部品や同じ部品のタイプ違い（本実施形態では文字盤、ベルトが該当する。）等を収容する場合でもよく、また、前記部品５で機能的に重複する１又は複数の部品５を収容しない場合でもよい。
【００１４】
図３に示すように、下段の工具専用の引き出し３Ａには、部品専用の引き出し３Ｂに収容した部品５を用いて、一つの腕時計を組み立てるときに使用するすべての工具６が収容されている。本実施形態では、時計針の取り付けに使用する剣押さえ６ａ、時計針の取り外しに使用する剣抜き６ｂ、随時細かい部品の取り扱い作業に使用するピンセット６ｃ、時計針の取り付け時の微調整やベルトの長さ調整などに使用するハンマー６ｄ、裏蓋の開閉に使用する裏蓋オープナー６ｅ、ベルト取り付け時に使用するベルト固定台６ｆ、ベルトの取り付けや取り外しに使用するばね棒外し６ｇ、メタルベルトの駒を外すのに使用するメタルベルトサイズ調整器６ｈが収容されている。なお、工具専用の引き出し３Ａに収容する工具６は、前記各工具６に限るものではなく、一つの腕時計の組み立てに使用するすべての工具６が揃っていれば、任意に追加又は減少してもよい。すなわち、腕時計の組み立て用の工具６として、腕時計の種類や構造等に応じて、前記工具６以外に他の工具を収容する場合でもよく、また、前記工具６で機能的に兼用できるような１又は複数の工具６を収容しない場合でもよい。
【００１５】
図４に示すように、上段の付属物用の引き出し３Ｃは、本実施形態では、説明書４が収容されている。この説明書４の内容は、パーツリスト、工具リスト、組み立て手順などが記載されている。例えば、パーツリストは、中段の部品専用の引き出し３Ｂに収容したすべての腕時計の部品５が写真入りで一覧にして記載されている。工具リストは、下段の工具専用の引き出し３Ａに収容したすべての工具６が写真入りで一覧にして記載されている。組み立て手順は、ケース２に収容した部品５と工具６を用いて腕時計を組み立てる作業工程や部品５の交換工程が写真入りで記載されている。なお、上段の引き出し３Ｃは、説明書４も収容せずに空っぽの状態でもよいし、説明書４に加え、あるいは説明書４に代えて他の書類（例えば、カタログ等）等を収容してもよい。
【００１６】
中段の部品専用の引き出し３Ｂと下段の工具専用の引き出し３Ａとは、内部に底板３２が配設されている。底板３２には、この底板３２を配設する引き出し３に収容する収容物の外形形状に沿って凹ませた収容凹部７が形成されている。各々の収容凹部７には、その収容凹部７に対応した形状の収容物を嵌め込むようにして収容されている。具体的に、下段の工具専用の引き出し３Ａの底板３２では、各工具６を収める収容凹部７が形成されており、各工具６は、その形状に対応した各収容凹部７に収容されている。
【００１７】
中段の部品専用の引き出し３Ｂの底板３２では、腕時計の部品５そのもの、部品５を収容した部品ケース８を収める収容凹部７が形成されており、各部品５及び部品ケース８は、その形状に対応した各収容凹部７に収容されている。ここで、部品ケース８は、容器と蓋とからなるプラスチック製の透明ケースであり、腕時計の部品５の取り扱いを容易にする、部品５の紛失を防止する、部品５を保護する等のために使用される。本実施形態では、機能的、組み立て順序等の共通性等を考慮して、長針、短針及び秒針の時計針５ｅを部品ケース８に収容し、ムーブメント５ａ、ボタン電池５ｂ、リューズ５ｈ及びリューズ芯５ｉを部品ケース８に収容し、ベルトばねピン５ｌを部品ケース８に収容し、また、色違いの３つの文字盤５ｃは、１つずつ別々の部品ケース８に収容している。これら部品ケース８は、その部品ケース８の形状に対応した底板３２の収容凹部７に収容されている。一方、時計ケース５ｆ、裏蓋５ｇ、ムーブメント固定台５ｄ、ベルト５ｊ，５ｋは、それらの形状に対応した底板３２の収容凹部７にそのまま収容されている。時計ケース５ｆとムーブメント固定台５ｄの収容凹部７は、底板３２の同じ位置で上部と下部に段状に形成されており、上下部の各収容凹部７に時計ケース５ｆとムーブメント固定台５ｄとが収容されている。これにより、引き出し３内の収容スペースの省スペース化が図られている。なお、部品５の保護等の観点から、腕時計のすべての部品５は、個々あるいは数個をまとめて透明の部品ケース８に収めるようにしてもよい。
【００１８】
上段の付属物用の引き出し３Ｃには、底板３２は設けられていない。なお、上段の引き出し３Ｃにも、説明書４の外形形状に沿って凹ませた収容凹部７を形成した底板３２を配設し、この底板３２の収容凹部７に説明書４を収めるようにしてもよい。
【００１９】
以上のように、本実施形態による腕時計の組立セット１によれば、一つの腕時計を構成するすべての部品５と、これら部品５から腕時計を組み立てるときに使用するすべての工具６とが別々の引き出し３Ａ，３Ｂに収容されているので、一つの腕時計の組み立てに必要な部品５や工具６のすべてが揃っていて、それらがどこにあるのか容易に分かるようになる。従って、部品５や工具６を容易に確認することができ、部品５や工具６の一部の欠落を探す負担が大幅に軽減されるから、腕時計の組み立てに集中して十分に楽しむことができる。
【００２０】
また、本実施形態では、ケース２において、ケース本体２１の４つの側面のうち隣り合った２つの側面が開口した開口部２２が形成されている。各引き出し３は、１つのコーナ部がケース本体２１に軸支され、ケース本体２１の開口部２２を通してケース本体２１内から回転式に出し入れ可能に構成されている。すなわち、各引き出し３は、４つのコーナ部のうち１つのコーナ部がケース本体２１の開口部２２における対角の２つのコーナ部のうち一方のコーナ部位置で同軸上に軸支され、前記軸支部分を支点にして回転させながらケース本体２１内から出し入れされる。
【００２１】
しかるに、ケース本体から直線上に出し入れされる引き出しでは、上の引き出しを全開にすると、下の引き出しをケース本体から引き出しても、上の引き出しに隠れて下の引き出し内を見ることができない。
【００２２】
これに対して、実施形態におけるケース２によれば、図５に示すように、上の引き出し３（３Ｂ）を９０度回転させて全開状態にしても、下の引き出し３（３Ａ）を９０度より小さく回転させて半開きにすることでこの下の引き出し３（３Ａ）の上面の開放部３１の一部が上の引き出し３（３Ｂ）の横に配置されて引き出し３（３Ａ）内を見ることができる。従って、各段の引き出し３（３Ａ，３Ｂ）に何が収容されているのか、どのような収容物が収容されているのか等の確認がし易いという利点がある。よって、さらに、部品５や工具６を容易に確認することができ、腕時計の組み立てを十分に楽しむことができる。また、各段の引き出し３を少しずつ回転させて、らせん状に開くようにすれば見栄えが良く、おしゃれなインテリアとしても使用でき、また、店頭やＳＮＳ等でのディスプレイ効果も高めることができる。
【００２３】
また、ケース本体２１の開口部２２における対角の２つのコーナ部のうち他方のコーナ部側では、各引き出し３とケース本体２１とを係止して各引き出し３がケース本体２１から不用意に開かないようにする開き防止手段が設けられている。具体的には、図１を参照して、引き出し３の外面に孔１２をあけたバンド１１が取り付けられ、ケース本体２１の外面にピン１３が立設され、引き出し３を閉じた状態でバンド１１の孔１２をピン１３に差し込んで係止させることにより、引き出し３の不用意な開きが防止される。このバンド１１とピン１３とが開き防止手段となる。なお、開き防止手段は、バンド１１の孔１２をピン１３に差し込む方式に限らず、バンド１１とケース本体２１とにホックを設けて係止するもの、面ファスナーを設けて係止するもの等、種々の係止手段を用いることができる。
【００２４】
なお、本考案は、前記実施形態に限定されるものではなく、実用新案登録請求の範囲の記載に基づいて様々な変更を実施することができる。
【符号の説明】
【００２５】
１  腕時計の組立セット
２  ケース
３  引き出し
３Ａ  工具専用の引き出し
３Ｂ  部品専用の引き出し
３Ｃ  付属物用の引き出し
４  説明書
５  部品
６  工具
７  収容凹部
８  部品ケース
１１  バンド
１２  孔
１３  ピン
２１  ケース本体
２２  開口部
３１  開放部
３２  底板
【図１】
0003232104.tif 000003
【図２】
0003232104.tif 000004
【図３】
0003232104.tif 000005
【図４】
0003232104.tif 000006
【図５】
0003232104.tif 000007